(57)【特許請求の範囲】
【請求項１】
印刷されて送られてくる連続紙を所定の長さに切断する第１断裁手段と、前記連続紙を所定の２倍の長さで切断する第２断裁手段と、前記第１断裁手段で切断された断裁紙を、爪装置を介して受け取って複数部づつ重ね合わせる重ね胴と、前記第２断裁手段で切断された断裁紙を、爪装置を介して受け取って、ブレード装置で半分に折り畳む折胴と、前記重ね胴および前記折胴に相接する位置に配設され、上記ブレード装置と協働して断裁紙を挟持するためのカム機構を介して開閉するくわえ装置を設けるとともに上記重ね胴の爪装置と協働して上記重ね胴の外周上に重ねられて回転してきた断裁紙をくわえ替えするためのカム機構を介して開閉する爪装置を設けた受け渡し胴と、この受け渡し胴から排出されてくる印刷物を搬送して機外に排出する排紙手段とを備え、前記重ね胴で重ね合わせた断裁紙を受け取る経路と前記折胴によって形成された二つ折りの折り丁を受け取る経路を選択的に切り替えるクラッチを上記受け渡し胴の駆動経路に設けたことを特徴とする輪転機の折機。
【請求項２】
上記第１断裁手段をのこ胴と、受け胴を兼ねる上記重ね胴とで構成し、上記第２断裁手段をのこ胴と、受け胴を兼ねる上記折胴で構成したことを特徴とする請求項１に記載の輪転機の折機。
【発明の詳細な説明】
【０００１】
【発明の属する技術分野】
本発明は、輪転機の折機に関するものである。
【０００２】
【従来の技術】
近年、新聞の折り込みチラシなどの宣伝広告用印刷物が急増してきたが、これらの印刷物は、短納期化と高品質化に応えるためオフセット輪転機で印刷されるのが主流になってきた。この種印刷物の大部分は、二つ折りか１枚物のシートに断裁加工されたものである。したがって、これらの印刷物がＢ列系の用紙を用いた一般的なものであれば、輪転機ではＢ４版４ページの折り丁かＢ４版２ページのシートに断裁加工して排出する。
【０００３】
図４は、最も標準的なＢ縦系列の商業用オフセット輪転機の折機を示す。この折機の平行折り部は、折胴２４と、くわえ胴２５より構成されている。
折胴２４は、のこ刃装置１１と針装置１０と折りブレード装置１７をそれぞれ２組づつ設けて構成されており、くわえ胴２５は、のこ刃受け１２と、くわえ装置１８をそれぞれ２組づつ設けて構成されている。
【０００４】
折機の作用を説明すると、印刷されて、この折機に送り込まれてきた連続紙Ｗは、折胴２４と、くわえ胴２５の間に入り、連続紙Ｗの前縁部が折胴２４の針装置１０によって折胴２４の外周に沿って運ばれ、所定角度まで回転して針装置１０から解放される。針装置１０から解放された連続紙Ｗは、連続紙Ｗの所定位置に折りブレード装置１７のブレードが当たり折り込まれる。このとき折りブレード装置１７のブレードは、くわえ装置１８のくわえ板と、くわえ胴本体の顎部２５ｊとの隙間に挿入されて連続紙Ｗを折り込む。そして、折り込まれた連続紙Ｗは、折胴２４ののこ刃装置１１と、くわえ胴２５の、のこ刃受け１２間で所定寸法、即ちＢ３判の長さに切断される。
かくして、図２（ａ）に示すようなＢ４判４ページの大きさに二つ折りされた折り丁Ｓ３が形成される。この二つ折りされた折り丁Ｓ３は、搬送ベルト２９によって一定のピッチで運ばれ、羽根車９を経て機外に排出される。
【０００５】
また、この折機を用いてシート状の印刷物Ｓ１を形成する場合は、図５（ｂ）に示すごとく、二つ折りの折り丁Ｓ３を機外に排出後、この折り丁Ｓ３の折線部を別設の断裁機で切断することによって得られる。
したがって、この種の折機によって形成された二つ折りの折り丁Ｓ３には、図５（ａ）に示すごとく、また、シート状の印刷物Ｓ１の半数には、図５（ｂ）に示すごとく、それぞれの印刷物の前縁部に折胴２４の針装置１０によって生じた針穴の跡があるのが特徴である。
【０００６】
図６は、Ｂ縦系列の商業用オフセット輪転機におけるシート出し専用の折機を示す。この折機の断裁部は、２組ののこ刃装置１１を設けたのこ胴７と、２組ののこ刃受け装置１２を備えた受け胴８よりなり、この断裁部で所定長さに切断された断裁紙Ｓ１を２部ずつ重ね合わす重ね部は、３組の爪装置１６ａを設けた重ね胴３と、３組の爪装置１６ｃを設けた受け渡し胴３５より構成されている。
【０００７】
この折機の作用を説明すると、印刷されてこの折機に送り込まれてきた連続紙Ｗは、のこ胴７ののこ刃１１と、受け胴８ののこ刃受け１２間で所定寸法、即ちＢ４判の長さに切断される。この切断された断裁紙Ｓ１は、重ね胴３の爪装置１６ａによって、その前縁部が挟持されて重ね胴３の外周に沿って運ばれ、１部置きに受け渡し胴３５の爪装置１６ｃにくわえ替えされる。重ね胴３から受け渡し胴３５に受け渡されなかった断裁紙Ｓ１は、断裁部から降りてくる後続の断裁紙Ｓ１と重なって運ばれ、１部置きに受け渡し胴３５の爪装置１６ａによって２部づつ重なった状態でくわえられて受け渡し胴３５の外周に沿って運ばれる。そして、所定位置で爪装置１６ａから解放された断裁紙Ｓ１は、２部づつ重なった状態で羽根車９に入り、排紙コンベヤ１４を経て機外に排出される。
【０００８】
したがって、この折機から排出される印刷物、即ちＢ４判２ページのシートは、２部づつ重なって排出されるので、排紙の乱れがなく高速運転が可能で、しかも針穴が無いのが特徴である。
【０００９】
【発明が解決しようとする課題】
以上、述べたごとく、従来の商業用輪転機の折機はチラシなどの印刷に主体をおくと、それぞれ次のような難点があった。
（イ）折り胴２４・くわえ胴２５を有する方式の折機は、二つ折りの折り丁Ｓ３が排出できるが、シート出しができない。この折機でシート状の印刷物を形成する場合は、二つ折りされた折り丁Ｓ３を別設の断裁機にかけて折り丁Ｓ３の折り線部を切断しなければいけないので、時間と費用がかかる。しかも、これらの印刷物の縁部にある輪転機特有の針穴が商品の見栄えを害していた。
（ロ）重ね胴３・受け渡し胴３５を有する方式の折機は、後処理機器に断裁機を用いることなく、針穴のないシート状の印刷物を効率的に排出できる反面、２つ折りの折り丁ができないので、用途が限られていた。
【００１０】
本発明は、以上のような問題点を解決し、シート出しも、二つ折りされた折り丁の排出も可能で、かつ、生産性の良い多様性に富む輪転機の折機を提供しようとするものである。
【００１１】
【課題を解決するための手段】
本発明は、上記課題を解決するため、印刷されて送られてくる連続紙を所定の長さに切断する第１断裁手段と、前記連続紙を所定の２倍の長さで切断する第２断裁手段と、前記第１断裁手段で切断された断裁紙を、爪装置を介して受け取って複数部づつ重ね合わせる重ね胴と、前記第２断裁手段で切断された断裁紙を、爪装置を介して受け取って、ブレード装置で半分に折り畳む折胴と、前記重ね胴および前記折胴に相接する位置に配設され、上記ブレード装置と協働して断裁紙を挟持するためのカム機構を介して開閉するくわえ装置を設けるとともに上記重ね胴の爪装置と協働して上記重ね胴の外周上に重ねられて回転してきた断裁紙をくわえ替えするためのカム機構を介して開閉する爪装置を設けた受け渡し胴と、この受け渡し胴から排出されてくる印刷物を搬送して機外に排出する排紙手段とを備え、前記重ね胴で重ね合わせた断裁紙を受け取る経路と前記折胴によって形成された二つ折りの折り丁を受け取る経路を選択的に切り替えるクラッチを上記受け渡し胴の駆動経路に設けたことにある。
【００１２】
本発明によると、クラッチで駆動経路を切り替えることによって、シート出しも二つ折りの折り出しもできるので、多様性に富み用途が拡大する。また、本発明の折機には、針装置を設けていないので、シート出しのほか二つ折りの印刷物の縁部にも輪転機特有の針穴が生じないことから、印刷物の品質を高めるとともに後処理機器に断裁機が不要であり、納期の短縮化と生産性の向上に多大の効果がある。
【００１３】
【発明の実施の形態】
以下、本発明の実施の形態を図４および図６と同一部分は同符号を付してその説明を省略して示す図面を参照しながら詳細に説明する。
図１は、本発明の折機を、Ｂ縦系列の商業用輪転機に適用した実施の形態を示したもので、折機の全容を示す構成図である。
図２（ａ），（ｂ）は、本発明の折機における紙通し経路と各経路で形成される印刷物を示す説明図である。
【００１４】
図１および図２（ａ），（ｂ）において、Ｗ１は印刷されて走行してくるシート出し経路の連続紙、Ｗ２は印刷されて走行してくる折り出し経路の連続紙、１Ａは連続紙Ｗ１を版胴の周長の半分の長さに切断する第１断裁手段、１Ｂは連続紙Ｗ１を版胴の周長で切断する第２断裁手段、Ｓ１は第１断裁手段で切断された断裁紙、Ｓ２は第２断裁手段で切断された断裁紙、３は断裁紙Ｓ１を受け取って２部づつ重ね合わせる重ね胴、４は断裁紙Ｓ２を受け取って半分に折り畳む折胴、Ｓ３は折胴４によって形成された二つ折りの折り丁、５は重ね胴３または折胴４と協働し、重ね胴３で２部づつ重ね合わされた断裁紙Ｓ１または折胴４で形成された二つ折りの折り丁Ｓ３を受け取って排紙手段６に送り出す受け渡し胴である。
【００１５】
この折機の第１断裁手段１Ａは、２組ののこ刃装置１１を設けたのこ胴７Ａと、該のこ胴７Ａに対向して配置され、のこ刃装置１１を受ける２組ののこ刃受け１２を備えた受け胴８Ａとから構成されている。該のこ胴７Ａおよび受け胴８Ａの直径は、版胴の直径と等しい径になっており、互いに平行状態に配設された回転軸を中心に互いに反対方向に回転駆動されるものである。また、第２断裁手段１Ｂは、１組ののこ刃装置１１を設けたのこ胴７Ｂと、１組ののこ刃受け１２を備えた受け胴８Ｂとから構成されており、その他は第１断裁手段１Ａと同じである。
【００１６】
上記重ね胴３は、版胴の１．５倍の直径を有し、外周を３等分する各位置には、断裁紙Ｓ１の回転方向前縁部を挟持するためのカム機構を介して開閉する公知の爪装置１６ａが設けられている。
上記折胴４は、版胴の２倍の直径を有し、外周を２等分する各位置には断裁紙Ｓ２の回転方向前縁部を挟持するためのカム機構を介して開閉する公知の爪装置１６ｂが設けられ、この２組の爪装置１６ｂ間の外周を２等分する各位置には、この爪装置１６ｂに挟持されて折胴４の外周に沿って回転移動してくる断裁紙Ｓ２を半分に折り込むための公知の折りブレード装置１７が設けられている。折りブレード装置１７はカム機構を介してブレードが突き出るように構成されている。
【００１７】
上記受け渡し胴５は、版胴の２倍の直径を有し、上記重ね胴３と上記折胴４に相接する位置に配設されている。この受け渡し胴５の外周における上記折胴４の折りブレード装置１７に対向する各位置には、折りブレード装置１７と協働して断裁紙Ｓ２の中央を挟持するためのカム機構を介して開閉する公知のくわえ装置１８が設けられている。さらにこの外周を２等分する各位置には、上記重ね胴３の爪装置１６ａと協働して重ね胴３の外周上に２部づつ重ねられて回転移動してきた断裁紙Ｓ１の回転方向前縁部をくわえ替えするためのカム機構を介して開閉する公知の爪装置１６ｃが設けられている。
なお、この受け渡し胴５の図示せざる駆動系には、第１断裁手段１Ａと重ね胴３と共に回転する駆動経路と、第２断裁手段１Ｂと折胴４と共に回転する駆動経路に切り替え可能なクラッチを設けている。
上記排紙手段６は、受け渡し胴５から排出されてくる重ねられた断裁紙Ｓ１または二つ折りの折り丁Ｓ３を搬送する上下の搬送ベルト１９ａ、１９ｂと、公知の羽根車９と排紙コンベヤ１４より構成されている。
【００１８】
なお、本実施例の折機には、上記搬送ベルト１９ａ，１９ｂによって搬送されてくる重ねられた断裁紙Ｓ１または二つ折りの折り丁Ｓ３を、その断裁線に対して直角方向に半分に折り畳む公知の直角折り装置２０が設けられている。
【００１９】
本折機を用いてシート出し、即ちＢ４判２ページの印刷物を排出する場合は、先ず受け渡し胴５の駆動系の切り換えクラッチを“シート出し”側に入れる。すると、受け渡し胴５は、第１断裁手段１Ａと重ね胴３と共に回転する駆動経路となり、第２断裁手段１Ｂと折胴４につながる駆動経路が断たれる。次に折機に送られてくる連続紙Ｗ１の先端を第１のこ胴７Ａと第１受け胴８Ａの間に通し、図２（ａ）に示すごとき紙通しを行う。この状態で輪転機を起動すると、印刷されて送られてくる連続紙Ｗ１は、のこ胴７Ａののこ刃装置１１と受け胴８Ａののこ刃受け１２の間で所定の長さ、即ちＢ４判の長さに切断され、断裁紙Ｓ１が形成される。
【００２０】
この断裁紙Ｓ１は、紙案内ベルト１３ａと１３ｂの間に挟持されて搬送され、のこ胴７Ａより若干早い周速で回転している重ね胴３の爪装置１６ａに断裁紙Ｓ１の前縁部がくわえられて、重ね胴３の外周に沿って回転移動する。重ね胴３が２／３回転する間に受け渡し胴５は、１／２回転するので、重ね胴３の爪装置１６ａにくわえられて重ね胴３の外周に沿って回転移動してきた断裁紙Ｓ１は、１部おきにしか受け渡し胴５の爪装置１６ｃに受け渡されない。
このため、受け渡し胴５にくわえ替えされなかった断裁紙Ｓ１は、そのまま重ね胴３の外周に沿って紙案内ベルト１３ｃとの間に挟持されて回転移動し、第１断裁手段１Ａから送られてきた後続の断裁紙Ｓ１が重ね胴３の外周上にある先行の断裁紙Ｓ１の上に載る。
【００２１】
かくして、重ね胴３の外周上に重なり合った状態で回転方向前縁部が爪装置１６ａにくわえられる。この重なり合った２部の断裁紙Ｓ１は、重ね胴３の外周に沿って紙案内ベルト１３ａとの間に挟持されて回転移動し、受け渡し胴５のくわえ位置に達すると、重ね胴３の爪装置１６ａが開き、受け渡し胴５の爪装置１６ｃが閉じて、受け渡し胴５へくわえ替えされる。２部づつ重なり合った状態で受け渡し胴５の爪装置１６ｃにくわえられた断裁紙Ｓ１は、受け渡し胴５の外周に沿って回転移動し、所定位置に達して爪装置１６ｃから解放された断裁紙Ｓ１は、２部重なったまま搬送ベルト１９ａと１９ｂの間に挟持されて一定のピッチで搬送され、羽根車９を経て排紙コンベヤ１４に載って機外に排出される。
【００２２】
本折機を用いて折り出し、即ちＢ４判４ページの大きさに二つ折りされた折り丁Ｓ３を排出する場合は、先ず受け渡し胴５の駆動系の切り替えクラッチを“折り出し”側に入れる。すると、受け渡し胴５は、第２断裁手段１Ｂと折胴４と共に回転する駆動経路となり、第１断裁部１Ａと重ね胴３につながる駆動経路が断たれる。次に折機に送られてくる連続紙Ｗ２の先端を第２のこ胴７Ｂと第２受け胴８Ｂの間に通し、図２（ｂ）に示すごとき紙通しを行う。
この状態で輪転機を起動すると、印刷されて送られてくる連続紙Ｗ２は、第２のこ胴７Ｂののこ刃装置１１と、第２受け胴８Ｂののこ刃受け１２の間で所定の長さ、即ちＢ３判の長さに切断され、断裁紙Ｓ２が形成される。
【００２３】
この断裁紙Ｓ２は、紙案内ベルト１５ａと１５ｂの間に挟持されて搬送され、第２のこ胴７Ｂより若干早い周速で回転している折胴４の爪装置１６ｂに断裁紙Ｓ２の前縁部がくわえられており、折胴４の外周に沿って回転移動する。この折胴４の爪装置１６ｂにくわえられて回転移動してきた断裁紙Ｓ２の回転方向２等分位置が受け渡し胴５に接する位置に達すると、このタイミングに合わせて受け渡し胴本体の顎部５ｊとくわえ装置１８のくわえ板の隙間に折りブレード装置１７のブレード先端が突っ込まれ、断裁紙Ｓ２を半分に折り込む。かくして、折胴４の折りブレード装置１７と受け渡し胴５のくわえ装置１８が協働して二つ折の折り丁、即ちＢ４判４ページの折り丁Ｓ３が形成される。
【００２４】
この折り丁Ｓ３は、受け渡し胴５のくわえ装置１８にくわえられて受け渡し胴５の外周に沿って回転移動し、所定位置に達してくわえ装置１８から解放され、搬送ベルト１９ａと１９ｂの間に挟持されて一定のピッチで搬送され、羽根車９を経て排紙コンベヤ１４に載って機外に排出される。
【００２５】
なお、搬送ベルト１９ａ、１９ｂの搬送経路に設けられた直角折り装置２０を用いれば、受け渡し胴５から排出されてくる２部づつ重ねられた断裁紙Ｓ１または二つ折りの折り丁Ｓ３は、それぞれ切断線に対して直角方向に半分に折り畳まれ、Ｂ５判８ページに二つ折りされた折り丁またはＢ５判８ページに４つ折りされた折り丁を排出することができる。
【００２６】
以上に述べたごとく、本発明の折機は共通の受け渡し胴５に選択的に係合する重ね胴３と折り胴を設け、重ね胴３は連続紙Ｗ１を版胴の周長の半分の長さに切断する第１断裁手段１Ａに連結し、折胴４は連続紙Ｗ２を版胴の周長で切断する第２断裁手段１Ｂに連結する構造になっているので、次の効果を奏する。
【００２７】
（イ）従来の折機でチラシなどの印刷を行う場合、折り胴・くわえ胴を有する方式のものではシート出しが、また、重ね胴・受け渡し胴を有する方式のものでは二つ折りの折り出しができなかったのに対し、本発明の折機では、クラッチで駆動経路を切り替えることによって、シート出しも二つ折りの折り出しもできるので、多様性に富み用途が拡大する。
（ロ）本発明の折機には、針装置を設けていないので、シート出しのほか二つ折りの印刷物の縁部にも輪転機特有の針穴が生じないことから、印刷物の品質を高めるとともに後処理機器に断裁機が不要であり、納期の短縮化と生産性の向上に多大の効果がある。
【００２８】
図３は本発明の第２の実施の形態に係る折機の全容を示す構成図である。
第１の実施の形態では、のこ胴７Ａと受け胴８Ａよりなる第１断裁手段１Ａが重ね胴３から離れた位置に配設されていたのに対し、第２の実施の形態では、第１のこ胴７Ａが重ね胴３Ａに相接する位置に配設されていて、のこ胴７Ａののこ刃１１を受けるのこ刃受け１２が重ね胴３Ａの外周を３等分する各位置に設けられている。そして、この重ね胴３Ａには、爪装置１６ａの代わりに断裁紙Ｓ１の回転方向前縁部を挟持するためのカム機構を介して開閉する公知の針装置１０ａが３組設けられている。
【００２９】
さらに、第１の実施の形態では、第２のこ胴７Ｂと受け胴８Ｂよりなる第２断裁手段１Ｂが折胴４から離れた位置に配設されていたのに対し、第２の実施の形態では、第２のこ胴７Ｂが折胴４Ｂに相接する位置に配設されていて、この折胴４Ｂの外周を２等分する各位置には、のこ胴７Ｂののこ刃１１を受けるのこ刃受け１２と、爪装置１６ｂの代わりに断裁紙Ｓ２の回転方向前縁部を挟持するためのカム機構を介して開閉する公知の針装置１０ｂが２組づつ設けられている。
その他の構成は第１の実施の形態と同じである。
【００３０】
本折機を用いてシート出し、即ちＢ４判２ページの印刷物を排出する場合は、先ず受け渡し胴５の駆動系の切り替えクラッチを“シート出し”側に入れる。すると、受け渡し胴５は、第１のこ胴７Ａと重ね胴３と共に回転する駆動経路となり、第２のこ胴７Ｂと折胴４Ｂにつながる駆動経路が断たれる。
次に折機に送られてくる連続紙Ｗ１の先端を第１のこ胴７Ａと重ね胴３Ａの間に通す。この経路の紙通し完了後、輪転機を起動すると、印刷されて送られてくる連続紙Ｗ１は、その前縁部が重ね胴３Ａの針装置１０ａによって重ね胴３Ａの外周に沿って運ばれ、所定角度まで回転すると、第１のこ胴７Ａののこ刃装置１１と重ね胴３Ａののこ刃受け１２の間で所定の長さ、即ちＢ４判の長さに切断され、断裁紙Ｓ１が形成される。
【００３１】
この断裁紙Ｓ１は、重ね胴３Ａの外周に沿って紙案内ベルト１３との間に挟持されて回転移動する。重ね胴３Ａが２／３回転する間に受け渡し胴５は、１／２回転するので、針装置１０ａの針に突き刺されて重ね胴３Ａの外周に沿って回転移動してきた断裁紙Ｓ１は、１部おきにしか受け渡し胴５の爪装置１６ｃに受け渡されない。
【００３２】
このため、受け渡し胴５にくわえ替えされなかった断裁紙Ｓ１は、そのまま重ね胴３Ａの外周に沿って紙案内ベルト１３ｃとの間に挟持されて回転移動し、第１のこ胴７Ａと重ね胴３Ａ間に送られてくる連続紙Ｗ１が重ね胴３の外周上にある先行の断裁紙Ｓ１の上に載る。この連続紙Ｗ１は所定角度まで回転してＢ４判の長さに切断されるので、重ね胴３Ａの外周上には重なり合った断裁紙Ｓ１が形成される。重ね胴３Ａの外周上に重なり合った断裁紙Ｓ１は、その回転方向前縁部が針装置１０ａによって、重ね胴３Ａの外周に沿って紙案内ベルト１３との間に挟持されて回転移動し、受け渡し胴５のくわえ位置に達すると、重ね胴３Ａの針装置１０ａから解放され、受け渡し胴５の爪装置１６ｃが閉じて、受け渡し胴５へくわえ替えされる。これ以後は第１の実施の形態と同じである。
【００３３】
本折機を用いて折り出し、即ちＢ４判４ページの大きさに二つ折りされた折り丁Ｓ３を排出する場合は、先ず受け渡し胴５の駆動系の切り替えクラッチを“折り出し”側に入れ、受け渡し胴５が第２のこ胴７Ｂと折胴４Ｂと共に回転する駆動経路とし、第１のこ胴７Ａと重ね胴３Ａにつながる駆動経路を断つ。
【００３４】
次に折機に送られてくる連続紙Ｗ２の先端を第２のこ胴７Ｂと折胴４Ｂの間に通し、この経路の紙通し完了後、輪転機を起動すると、印刷されて送られてくる連続紙Ｗ２は、その前縁部が折り胴４Ｂの針装置１０ｂによって折胴４Ｂの外周に沿って紙案内ベルト１５との間に挟持されて運ばれ、所定角度まで回転して針装置１０ｂから解放されると、この連続紙Ｗ２の所定位置に折りブレード装置１７のブレードが受け渡し胴５のくわえ装置１８のくわえ板とくわえ胴本体の顎部５ｊとの隙間に挿入され、第２のこ胴７Ｂののこ刃装置１１と折胴４Ｂののこ刃受け１２間で所定寸法、即ちＢ３判の長さに切断される。
【００３５】
かくして折胴４Ｂの折りブレード装置１７と受け渡し胴５のくわえ装置１８が協働して二つ折りの折り丁、即ちＢ４判４ページの折り丁Ｓ３が形成される。この折り丁Ｓ３は、受け渡し胴５の外周に沿って回転移動し、所定位置に達してくわえ装置１８から解放され、搬送ベルト１９ａと１９ｂの間に挟持されて、羽根車９へ向かって搬送される。これ以後は第１の実施の形態と同じである。
【００３６】
本実施の形態の折機は、以上のように第１のこ胴７Ａをのこ刃受け１２と針装置１０ａを備えた重ね胴３Ａと相接する位置に配設し、連続紙Ｗ１を第１のこ胴７Ａと重ね胴３Ａ間で版胴の周長の半分の長さに切断して、重ね胴３Ａ上に形成された２部重ねの断裁紙Ｓ１を重ね胴３Ａの針装置１０ａからくわえ胴５の爪装置１６ｃに受け渡す。また、第２のこ胴７Ｂをのこ刃受け１２と針装置１０ｂと折りブレード装置１７を設けた折胴４Ｂと相接する位置に配設し、連続紙Ｗ２を第２のこ胴７Ｂと折胴４Ｂ間で折胴４Ｂの周長で切断して、折胴４Ｂとくわえ胴５が協働して二つ折りの折り丁Ｓ３を形成する構造にしているので、印刷物の縁部には輪転機特有の針穴が生じる反面、実施例１に比べ、受け胴８Ａ、８Ｂが不要となり、通紙経路が短縮され、紙案内ベルトも簡素化されるので、第１の実施の形態と同じ機能がコンパクトな構造で得られる。
【００３７】
なお、本発明では、受け渡し胴から排出されてくる印刷物を搬送する経路に、印刷物の切断線に対して直角方向に半分に折り畳む直角折り装置を付加したので、受け渡し胴から排出されてくる２部づつ重ねられた断裁紙または二つ折りの折り丁は、それぞれ切断線に対して直角方向に半分に折り畳まれ、Ｂ５判８ページに二つ折りされた折り丁またはＢ５判８ページに４つ折りされた折り丁を排出することができる。
【００３８】
【発明の効果】
以上、述べたように、本発明による輪転機の折機によれば、以下のような効果を奏する。
印刷されて送られてくる連続紙を所定の長さに切断する第１断裁手段と、前記連続紙を所定の２倍の長さで切断する第２断裁手段と、前記第１断裁手段で切断された断裁紙を複数部づつ重ね合わせる重ね胴と、前記第２断裁手段で切断された断裁紙を半分に折り畳む折胴と、前記重ね胴および前記折胴に相接する位置に配設され、前記重ね胴で重ね合わせた断裁紙を受け取る経路と前記折胴によって形成された二つ折りの折り丁を受け取る経路に選択的に切り替え可能な駆動経路を有する受け渡し胴と、この受け渡し胴から排出されてくる印刷物を搬送して機外に排出する排紙手段とを備えたので、クラッチで駆動経路を切り替えることによって、シート出しも二つ折りの折り出しもできるので、多様性に富み用途が拡大する。また、本発明の折機には、針装置を設けていないので、シート出しのほか二つ折りの印刷物の縁部にも輪転機特有の針穴が生じないことから、印刷物の品質を高めるとともに後処理機器に断裁機が不要であり、納期の短縮化と生産性の向上に多大の効果がある。
上記第１断裁手段をのこ胴と、受け胴を兼ねる上記重ね胴とで構成し、上記第２断裁手段をのこ胴と、受け胴を兼ねる上記折胴で構成したので、それぞれの受け胴が不要となり、通紙経路が短縮され、紙案内ベルトも簡素化されることから、よりコンパクトな構造が得られる。
【図面の簡単な説明】
【図１】本発明による輪転機の折機の第１の実施の形態を示す構成図である。
【図２】本発明の折機における紙通し経路と、各経路で形成される印刷物の種類を示し、（ａ）は第１断裁手段側の経路を示す概念図、（ｂ）は、第２断裁手段側の経路を示す概念図である。
【図３】本発明による輪転機の折機の第２の実施の形態を示す構成図である。
【図４】従来の標準的なＢ縦系列の商業用オフセット輪転機の折機を示す概念図である。
【図５】従来の折丁を示し、（ａ）は二つ折の折丁の針穴を示す概念図、（ｂ）は、切断された折丁の針穴を示す概念図である。
【図６】従来のｂ縦系列の商業用オフセット輪転機におけるシート出し専用の折機を示す概念図である。
【符号の説明】
Ｗ１，Ｗ２  連続紙
１Ａ  第１断裁手段
１Ｂ  第２断裁手段
Ｓ１，Ｓ２  断裁紙
Ｓ３  折り丁
３  重ね胴
４  折胴
５  受け渡し胴
６  排紙手段
７Ａ，７Ｂ  のこ胴
８Ａ  受け胴
９  羽根車
１６ａ，１６ｂ  爪装置
１７  ブレード装置
１８  くわえ装置
１９ａ、１９ｂ  搬送ベルト
【図１】
0003652879.tif 000002
【図２】
0003652879.tif 000003
【図３】
0003652879.tif 000004
【図４】
0003652879.tif 000005
【図５】
0003652879.tif 000006
【図６】
0003652879.tif 000007